(57)【要約】【課題】  濃度の異なる記録要素を記録するノズル群を有すると共に、複数のノズル列を有する記録ヘッドを用いるインクジェット記録装置において、２つのノズル群を異なったタイミングで駆動して記録を行う際の、ノズル列間の相対的記録位置の調整を容易とする【解決手段】  一方のノズル群のみを使用する第１の記録モードでの複数のノズル列間の相対的記録位置を調整するためのパターンを記録し、該パターンから第１の記録モードでの相対的記録位置の設定値を判別し、該設定値に基づいて、２つのノズル群を異なったタイミングで駆動する第２の記録モードでの複数のノズル列間の相対的記録位置の設定値を決定する。【選択図】  図４
2004276606.tif 000002
【特許請求の範囲】
【請求項１】
インクを吐出するインクジェット記録ヘッドと記録媒体とを相対的に走査させて記録を行うインクジェット記録装置であって、
前記記録ヘッドは、第１の濃度の記録要素を記録するときに使用される第１のノズル群と、第２の濃度の記録要素を記録するときに使用される第２のノズル群とを有すると共に、複数のノズル列を有しており、
１回の記録走査内で前記第１及び第２のノズル群の一方のみを使用する第１の記録モードと、
１回の記録走査内で前記第１及び第２のノズル群を異なったタイミングで駆動する第２の記録モードとを備え、
前記第１の記録モードでの前記複数のノズル列間の相対的記録位置を調整するためのパターンから判別された相対的記録位置の設定値に基づいて、前記第２の記録モードでの前記複数のノズル列間の相対的記録位置の設定値を決定する記録位置設定手段を備えることを特徴とするインクジェット記録装置。
【請求項２】
前記第１の記録モードでの相対的記録位置調整の際の分解能が、前記第２の記録モードでの相対的記録位置調整の分解能の整数倍であることを特徴とする請求項１に記載のインクジェット記録装置。
【請求項３】
前記記録位置設定手段は、前記２つのノズル群のいずれかの相対的記録位置の設定値を変更する必要がある場合に、濃度の低い記録要素を記録するときに使用されるノズル群の設定値を変更しないことを特徴とする請求項１に記載のインクジェット記録装置。
【請求項４】
前記記録ヘッドを往復両方向に走査させて記録を行うときに、前記第１の記録モードで同じノズル列の往方向及び復方向の相対的記録位置の調整を行うためのパターンから判別された相対的記録位置の設定値に基づいて、前記第２の記録モードでの同じノズル列の往方向及び復方向の相対的記録位置の設定値を決定する双方向記録位置設定手段を更に備えることを特徴とする請求項１に記載のインクジェット記録装置。
【請求項５】
前記第１のノズル群と前記第２のノズル群とは、記録する記録要素としてのドットの大きさが異なることを特徴とする請求項１に記載のインクジェット記録装置。
【請求項６】
前記第１のノズル群と前記第２のノズル群とは、使用するインクの濃度が異なることを特徴とする請求項１に記載のインクジェット記録装置。
【請求項７】
前記第１のノズル群と前記第２のノズル群とは、使用するインクの色が異なることを特徴とする請求項１に記載のインクジェット記録装置。
【請求項８】
前記記録ヘッドは、前記第１のノズル群を含む第１のノズル列と前記第２のノズル群を含む第２のノズル列とを有することを特徴とする請求項１に記載のインクジェット記録装置。
【請求項９】
前記記録ヘッドは、前記第１のノズル群に属するノズルと前記第２のノズル群に属するノズルとが交互に配置されたノズル列を複数有することを特徴とする請求項１に記載のインクジェット記録装置。
【請求項１０】
前記第１の記録モードでの前記設定値は、前記パターンを参照してユーザが入力することを特徴とする請求項１に記載のインクジェット記録装置。
【請求項１１】
前記パターンを読み取る読み取り手段と、該読み取り手段の読み取り結果に基づいて、前記第１の記録モードでの前記設定値を選択する設定値選択手段とを更に備えることを特徴とする請求項１に記載のインクジェット記録装置。
【請求項１２】
第１の濃度の記録要素を記録するときに使用される第１のノズル群と、第２の濃度の記録要素を記録するときに使用される第２のノズル群とを有すると共に、複数のノズル列を有し、各ノズルからインクを吐出するインクジェット記録ヘッドと記録媒体とを相対的に走査させて記録を行い、１回の記録走査内で前記第１及び第２のノズル群の一方のみを使用する第１の記録モードと、１回の記録走査内で前記第１及び第２のノズル群を異なったタイミングで駆動する第２の記録モードとを備えるインクジェット記録装置の記録位置設定方法であって、
前記第１の記録モードで記録を行う場合の前記複数のノズル列間の相対的記録位置を調整するためのパターンを記録するパターン記録工程と、
前記パターンから前記第１の記録モードでの前記相対的記録位置の設定値を判別する判別工程と、
前記設定値に基づいて、前記第２の記録モードでの前記複数のノズル列間の相対的記録位置の設定値を決定する決定工程と、を備えることを特徴とするインクジェット記録装置の記録位置設定方法。
【請求項１３】
請求項１２に記載のインクジェット記録装置の記録位置設定方法の各工程をコンピュータ装置で実現するコンピュータプログラム。
【請求項１４】
請求項１３に記載のコンピュータプログラムを格納した記憶媒体。
【発明の詳細な説明】
【技術分野】
【０００１】
本発明はインクジェット記録装置及び該装置の記録位置設定方法に関し、特に、濃度の異なる記録要素を記録する複数のノズル群を有すると共に、複数のノズル列を有する記録ヘッドを走査させて記録を行うインクジェット記録装置における、ノズル列間の相対的記録位置の調整に関するものである。
【０００２】
本発明は、紙や布、革、不織布、ＯＨＰ用紙等、さらには金属等の記録媒体を用いる機器すべてに適用可能である。具体的な適用機器としては、プリンタ、複写機、ファクシミリ等の事務機器や工業用生産機器等を挙げることができる。
【背景技術】
【０００３】
例えばワードプロセッサ、パーソナルコンピュータ、ファクシミリ等に於ける情報出力装置として、所望される文字や画像等の情報を用紙やフィルム等シート状の記録媒体に記録を行うプリンタが広く使用されている。
【０００４】
プリンタの記録方式としては様々な方式が知られているが、記録手段（記録ヘッド）から記録媒体にインクを吐出して記録を行うインクジェット方式は、コンパクト化が容易、高精細な画像を高速で記録することが可能、ランニングコストが安い、ノンインパクト方式である為騒音が少ない、多色のインクを使用してカラー画像を記録するのが容易、等の利点を有していることから、一般的な方式として普及してきている。
【０００５】
インクジェット方式を採用する記録装置（以下、インクジェット記録装置と称する）の記録ヘッドにおいては、各吐出口（ノズル）毎に吐出速度や吐出方向にばらつきがあり、吐出口列が複数ある場合には、記録ヘッドへの取り付け精度に微妙なばらつきが生じるため、ノズル列によって微妙に着弾位置がずれる。吐出口列間の相対記録位置がずれた状態で記録を行うと、罫線のずれや、記録ヘッドから吐出されるインクによって記録されるドットの配置に粗密が生じるため画像がざらつくことになる。
【０００６】
従って、記録画像の品質を向上させるためには、各ノズル列間の相対的な記録位置合わせを行うことが必要であり、これは一般的には記録位置調整と呼ばれる。
【０００７】
記録位置調整は、記録位置を調整しようとするもの（例えば、ノズル列）の相対記録位置を少しずつずらしたパターンを記録媒体上に複数記録し、そのなかから最適な相対記録位置で記録されているものを選択することで行われる。最適なパターン選択の方法としては大きく二つがある。ユーザーにより相対記録位置を選択してもらう方法と、記録装置自体に何らかの相対記録位置調整手段を設け、これにより相対記録位置を合わせる方法とである。
【０００８】
このように、複数のノズル列を有するインクジェット記録装置においては、使用に先立ちノズル列間の相対的記録位置の調整を行うことで、記録品質を向上させることが可能となる。
【０００９】
図８は、複数のノズル列間での記録位置調整を行うための記録のパターンの一例を示す図である。この記録位置調整は、複数のノズル列間での相対的記録位置を調整する目的で行われるため、記録ヘッドがいかなるノズル列を有しているかにより記録のパターンは種々異なる。図８に示す記録のパターンは、黒、シアン、イエロー、マゼンタそれぞれのインクを使用し、各々のインクに対して図１１に示すように偶数ノズル列と奇数ノズル列とを有する記録ヘッドを使用するインクジェット記録装置の記録位置調整用のパターンである。
【００１０】
なお、図１１に示した記録ヘッドでは、各色及び各ノズル列相互に吐出タイミングを制限することはなく、各々任意のタイミングで駆動することが可能であると想定している。また、駆動のタイミングの間隔は、同一の主走査における同一ノズルからの記録ドットが主走査方向に１２００ｄｐｉの間隔で記録可能な間隔とする。
【００１１】
記録位置調整は、記録媒体（一般には紙）上での相対的記録位置のずれを検出しやすい特定のテストパターン（記録位置調整用パターン）を記録することで行う。記録位置調整を行うノズル列の一方を基準として、相対的記録位置を合わせる他方のノズル列の相対的記録位置を駆動タイミングをずらして変化させながら特定のパターンを複数（図８では＋７から−３もしくは＋５から−５までの１１回）記録し、記録された複数のパターンのうち最も記録位置が合った設定値を記録装置内の不揮発性メモリ（ＥＥＰＲＯＭ）に格納する処理であり、この処理を記録位置調整を行うすべてのノズル列間において（もしくは一部共通化して）行う。
【００１２】
図８のＡからＦの各パターンで記録位置調整を行うノズル列の組合せは、
Ａ：黒偶数ノズル列／奇数ノズル列
Ｂ：シアン偶数ノズル列／奇数ノズル列
Ｃ：マゼンタ偶数ノズル列／奇数ノズル列
Ｄ：黒双方向記録
Ｅ：カラー（シアン）双方向記録
Ｆ：黒／カラー（シアン）
である。
【００１３】
ここで、イエローに関しては偶数ノズル列と奇数ノズル列間の記録位置調整は行っていないが、これはイエローは濃度が低いため、上記パターンを記録してもどの設定値で記録したときに相対位置が最も合っているか判別が困難であるためであり、シアンの調整結果を利用する。その他のカラー（マゼンタ及びイエロー）インクの双方向記録位置調整などもシアンでの調整結果を流用するため本パターンでは用意していない。
【００１４】
以上のようにして記録位置調整用パターンを記録した後、その記録結果から設定値を選択する処理は、このテストパターンの記録結果からユーザが選択し、記録装置に接続したホスト機器からマニュアル（手作業）で設定値を入力する場合と、記録されたテストパターンを記録装置内に設けられたセンサにより読み込み、例えばその濃度変化から、最適な設定値を選択する場合とがある。
【００１５】
ここで、記録位置調整に関して、パターンＡ（黒偶数ノズル列／奇数ノズル列間の記録位置調整用パターン）を例に図９ならびに図１２、図１３、図１４、図１５を用いてより詳細に説明する。
【００１６】
図９は、図８に示したパターンＡのうち、設定値＋３で記録される記録ドットの状態を部分的に拡大して示す図である。ここで横軸は走査方向の記録位置であり、図中の１メモリが１２００ｄｐｉに対応すると想定し、図の向かって左から右すなわち横軸の数値の小さいものから順に記録される。白丸は偶数ノズル列により記録された記録ドットを、ハッチングされた丸は奇数ノズル列により記録された記録ドットを示している。
【００１７】
すなわち、図９ではまず主走査方向に、図１１に示した記録ヘッドの黒ノズル列１Ａのうち偶数ノズル列であるＡと奇数ノズル列であるＢを、それぞれ記録位置を移動させて７回連続して駆動し（７カラム分記録し）、その後７回連続して駆動しない、ということを繰り返して記録した状態を示している。本実施例では１回の記録ごとに１２００ｄｉ記録位置を移動させながら記録を行っている。より具体的には、偶数ノズル列による記録ドットは、主走査方向記録位置０〜６と１４〜２０に記録されており、奇数ノズル列による記録ドットは１０〜１６ならびに２４〜３０に記録されている。ここで、主走査方向記録位置１４〜１６の記録位置においては偶数ノズル列と奇数ノズル列とによる記録ドットが重なって記録されていることが分かる。
【００１８】
図１２では、上記図８で示したパターンＡのうち、設定値＋２で記録される記録ドットの状態を示している。横軸が記録を行う主走査方向記録位置であり、１メモリが１２００ｄｐｉに対応し、図の向かって左から右へ走査され、白丸は偶数ノズル列により記録された記録ドットを、ハッチングされた丸は奇数ノズル列による記録ドットを示していることは図９と同様である。更に、偶数ノズル列と奇数ノズル列の駆動／非駆動が７回ごとに切り替わるのも図９と同様である。
【００１９】
図１２と図９との相違点は、偶数ノズルでの記録は変更せずに、奇数ノズルの記録位置を左に１２００ｄｐｉだけずらした（奇数ノズルの駆動タイミングを１２００ｄｐｉ分だけ早くした）点である。これにより、図１２に示したように、偶数ノズル列による記録ドットが主走査記録位置０〜６ならびに、１４〜２０に記録されることに変わりないが、奇数ノズル列による主走査記録位置が９〜１５ならびに２３〜２９へと左側へと移動することになる。このため、偶数ノズル列による記録ドットと奇数ノズル列による記録ドットが重なる主走査記録位置は、図９とは異なり１４と１５の２箇所となる。
【００２０】
また、図１３は、図８のパターンＡのうち、設定値＋１で記録される記録ドット、すなわち、図１２からさらに奇数のノズル列の記録位置を左に１２００ｄｐｉだけずらした（駆動タイミングを１２００ｄｐｉに対応する時間だけ早くした）記録ドットの状態を示し、図１４は、図８に示したパターンＡのうち、設定値０で記録される記録ドットの状態、図１５は、図８に示したパターンＡの内、設定値−１で記録される記録ドットの状態をそれぞれ示している。
【００２１】
このように偶数ノズル列の駆動タイミングを変更せず、奇数ノズル列による記録タイミングのみを逐次変更していくことで、奇数ノズルの記録ドットの主走査方向記録位置が変化し、偶数ノズル列による記録ドットと奇数ノズル列による記録ドットとの相対的記録位置が変化する。これら設定値を変えた複数のパターンを記録した後、偶数ノズル列によって記録された記録ドットと奇数ノズル列によって記録された記録ドットとのつなぎ目が最も滑らかなパターン（上記の図９、図１２〜１５の中では図１４）を選択することで、相対的記録位置の設定値が決定されて記憶される。
【００２２】
記録位置調整を行うことで図１４のパターンが選択された場合に、図１４の主走査方向記録位置０を偶数ノズル列で記録した際の駆動タイミングで偶数ノズル列を駆動し、主走査方向記録位置７を記録した際の奇数ノズル列の駆動タイミングで奇数ノズル列を駆動すると、各々の記録ドットの間隔は主走査方向記録位置において７ずれることになるので、奇数ノズル列の駆動タイミングを図１４に示した状態からさらに７早くすることで、偶数ノズル列と奇数ノズル列とによる記録位置を主走査方向に同一位置とすることができる。
【００２３】
以上のようにして、偶数ノズル列と奇数ノズル列間の相対記録位置の設定位置が決定される。図８の他のパターン（パターンＢからＦ）に関しても記録位置調整を行う２つのノズル列の一方を基準として（駆動タイミングを変更せず）、他方のノズル列の駆動タイミングを１２００ｄｐｉずつ変更して記録を行う事により、記録位置調整を行う２つのノズル列による相対的記録位置を異ならせることができ、複数種類記録したパターンのうち最も滑らかなパターンを選択することで、それぞれのノズル間の記録位置の設定値を得ることができる。
【００２４】
複数の吐出口群（ノズル群）を有するヘッドにおいては、同一走査においては同じカラム位置では異なる吐出口群の駆動を行わないように制御する構成（つまり同時に異なった吐出口群のノズルの駆動はできないような構成）にことで、カラムごとでのヘッドへの記録データを吐出口群ごとに分けたり、吐出口群が異なっても記録データ転送用の信号線を共用できるため、記録ヘッド及び記録装置のコストダウンが図れるといったメリットがある。
【００２５】
このため異なるノズル群を有する記録ヘッドを走査する装置においては、異なる吐出口群を異なった駆動タイミングで駆動し、異なる吐出口群を順次を切り替えて使用するような記録装置が提案されている。
【００２６】
図１０Ａから図１０Ｆは、このような記録装置で使用される記録ヘッドの吐出口群の様々な構成例を示す図である。これらの図において、Ａ又はＢで示される吐出口はそれぞれ別の吐出口群をなしており、本実施形態では吐出口群Ａと吐出口群Ｂとは同時に駆動することができないものとする。
【００２７】
図１０Ａは、吐出口群Ａと吐出口群Ｂとをそれぞれ別の吐出口列（ノズル列）で構成し、２つの列をノズルピッチの半分だけずらした構成、図１０Ｂは、吐出口群Ａと吐出口群Ｂとを同じ列に交互に配置した構成、図１０Ｃは、吐出口群Ａと吐出口群Ｂとをそれぞれ２列ずつ備え、各吐出口群の２つの列をノズルピッチの半分だけずらした構成を示している。
【００２８】
また、図１０Ｄ〜１０Ｆは、一つの記録インクに対して吐出量の異なる特性を持つ吐出口群を備えた構成を示している。すなわち、図１０Ｄ〜１０Ｆに示す構成においては、吐出口群Ａと吐出口群Ｂとは吐出量が異なり、吐出口群Ａの方は相対的に吐出量が多い。図１０Ｄ及び図１０Ｅはいずれも、吐出口群Ａと吐出口群Ｂとをそれぞれ２列ずつ備え、各吐出口群の２つの列をノズルピッチの半分だけずらした構成であるが、列の並び順が異なっている。図１０Ｆは、吐出口群Ａと吐出口群Ｂとを交互に配置した列を２つ有し、Ａで示される吐出口とＢで示される吐出口の位置（列内の順序）が２つの列で異なっている構成である。
【００２９】
このように異なる吐出量の吐出口群を有する記録ヘッドで記録を行う場合、ハイライト部分に対して吐出量の小さなノズルを使用して粒状感を低減させ、高濃度部分に対して吐出量の大きなノズルを使用して吐出回数を低減しつつ高濃度を表現することで、記録速度を低下させずに記録画質を向上させることができる。
【００３０】
更に、このような構成の記録ヘッドで記録を行う記録装置が、記録画質よりも記録速度を優先すべく、吐出量の大きなノズルのみで画像を形成する記録モード（高速モード）や、記録速度よりも記録画質を優先すべく、吐出量の小さなノズルのみで画像を形成する記録モード（高画質モード）等の記録モードを備えるようにすると、ユーザの所望する条件に応じた記録が可能である。このような装置は、例えば、特開平８−１８３１７９号公報（特許文献１）に開示されている。
【特許文献１】特開平８−１８３１７９号公報
【発明の開示】
【発明が解決しようとする課題】
【００３１】
しかしながら、上述したような複数の吐出口群を有する記録ヘッドを用いる記録装置で生じる問題について、図５に示した吐出特性の異なる複数の吐出口群を持つ構成の記録ヘッドを用いる場合を例に挙げて説明する。なお、図５において、吐出量の大きいノズルを大ノズル、吐出量の小さいノズルを小ノズルと表しており、以下の説明でも同様に表記する。
【００３２】
このような吐出量が異なるノズルを持つ記録ヘッドにおいて記録位置調整を行う場合には、前提として同じ走査で記録を行う場合には大ノズルと小ノズルとの駆動タイミングが異なるようになっている。
【００３３】
図６、図７及び図３０は、図５に示す記録ヘッドの記録解像度が６００ｄｐｉで、記録位置調整ピッチが１２００ｄｐｉである場合の、吐出動作並びに記録ドットの位置を説明する図である。
【００３４】
図３０において記録ヘッド７０１は、横軸を主走査方向として、破線で示す各カラム位置において記録ヘッドを駆動してインクを吐出することが可能とする。ここでは記録ヘッド７０１は、同じ走査内で駆動タイミングを異ならせて吐出口群７０１Ａ（大ノズル）と吐出口群７０１Ｂ（小ノズル）を駆動し、着目画素７００への記録を行う状態を示している。
【００３５】
図３０（ａ）は、主走査方向記録位置０で吐出口群７０１Ａ（大ノズル）を駆動した状態を、図３０（ｂ）は、（ａ）の後に、記録ヘッド７０１を図中左方向へ１２００ｄｐｉだけ移動させ主走査方向位置１で吐出口群７０１Ｂを駆動した状態をそれぞれ示している。これらのタイミングにおいて吐出口群Ａ並びに吐出口群Ｂを駆動した場合でも、この例では、それぞれの吐出口群からのインクの吐出速度や吐出方向などが異なっているために、着目画素７００（主走査方向記録位置２及び３からなる６００ｄｐｉの画素）の左側の１２００ｄｐｉの位置にいずれもドットが形成され記録がなされることを示している。
【００３６】
なお、図３０において、記録ヘッド７０１の走査方向を矢印で示し、記録ヘッド７０１のうち駆動している吐出口群（ノズル群）をハッチングで示している。図３０（ａ）では、大ノズル列７０１Ａを、図３０（ｂ）では小ノズル列７０１Ｂを駆動していることを示している。これら駆動により吐出され、着目画素７００に記録された記録ドットを、着目画素７００内にハッチングで示した。又便宜上、着目画素での記録ドットの大きさを吐出口と同じ大きさで示すことにし、吐出を行ったノズルと着目画素に記録された記録ドットの関係を矢印で表している。図３０（ｂ）には、図３０（ａ）における大ノズルを駆動した際の記録ヘッドの位置も点線で示している。
【００３７】
この図３０（ａ）及び（ｂ）を同一図面上に記載したものが図６である。図６では、各吐出口群から吐出されるインク滴の吐出方向や吐出速度を反映して着目画素７００への着弾が可能な駆動タイミングにおける記録ヘッドを着目画素の上下に記載しており、矢印により使用吐出口群ならびに記録される記録ドットの関係を示した。以下では、図６と同様に、主走査方向の記録走査のうち記録ヘッドによる２つの記録状態を一つの図面で示すことにする。
【００３８】
図６は、大ノズル７０１Ａの駆動タイミングと小ノズル７０１Ｂの駆動タイミングとを１２００ｄｐｉずらしたときに、大ノズル及び小ノズルから吐出されるインクを着目画素７００の同じカラム位置へ着弾させることができる状態を示しており、図７は、大ノズル７０１Ａの駆動タイミングと小ノズル７０１Ｂの駆動タイミングとを同一としたときに、大ノズル及び小ノズルから吐出されるインクを着目画素７００の同じカラム位置へ着弾させることができる状態を示している。
【００３９】
図６のように同じカラム位置にインク滴を着弾させる場合に、それぞれの吐出口群が異なるタイミング（カラム位置）で駆動されるような条件では問題ないが、図７のように大ノズルと小ノズルの駆動タイミングを同一としなければ同じ主走査方向記録位置（カラム位置）へ着弾させることができない場合には、上述のように大ノズルと小ノズルとを異なったタイミングで駆動する前提条件を持つ構成では、同じカラム位置へ記録ドットを着弾させることができない。
【００４０】
なお、上述の特性が異なる吐出口群としては吐出量の異なるノズル群だけでなく、同系色で濃度の異なるインクを吐出する吐出群や、多色のインクを用いてカラー記録を行う際の異なってインクを吐出する吐出口群を有する場合等、濃度の異なる記録要素（ドット）の記録に使用されるノズル群が複数ある構成においても、また特性が同じでも別の吐出口群とされているものにおいても、同じカラム位置（タイミング）で吐出動作が行えないように制限されている構成においては同様に問題となる。
【００４１】
本発明は以上のような状況に鑑みてなされたものであり、濃度の異なる記録要素を記録する第１及び第２のノズル群を有すると共に、複数のノズル群を有する記録ヘッドを相対的に走査させて記録を行うインクジェット記録装置において、第１及び第２のノズル群を異なったタイミングで駆動して記録を行う際の、ノズル列間の相対的記録位置の調整を容易とすることを目的とする。
【課題を解決するための手段】
【００４２】
本発明の一態様としてのインクジェット記録装置は、インクを吐出するインクジェット記録ヘッドと記録媒体とを相対的に走査させて記録を行うインクジェット記録装置であって、
前記記録ヘッドは、第１の濃度の記録要素を記録するときに使用される第１のノズル群と、第２の濃度の記録要素を記録するときに使用される第２のノズル群とを有すると共に、複数のノズル列を有しており、
１回の記録走査内で前記第１及び第２のノズル群の一方のみを使用する第１の記録モードと、
１回の記録走査内で前記第１及び第２のノズル群を異なったタイミングで駆動する第２の記録モードとを備え、
前記第１の記録モードでの前記複数のノズル列間の相対的記録位置を調整するためのパターンから判別された相対的記録位置の設定値に基づいて、前記第２の記録モードでの前記複数のノズル列間の相対的記録位置の設定値を決定する記録位置設定手段を備えている。
【００４３】
すなわち、本発明によれば、第１の濃度の記録要素を記録するときに使用される第１のノズル群と、第２の濃度の記録要素を記録するときに使用される第２のノズル群とを有すると共に、複数のノズル列を有し、各ノズルからインクを吐出するインクジェット記録ヘッドを記録媒体上で走査させて記録を行うように構成され、第１及び第２のノズル群の一方のみを使用する第１の記録モードと、第１及び第２のノズル群を異なったタイミングで駆動する第２の記録モードとを備えるインクジェット記録装置において、第１の記録モードでの複数のノズル列間の相対的記録位置を調整するためのパターンを記録し、該パターンから第１の記録モードでの相対的記録位置の設定値を判別し、該設定値に基づいて、第２の記録モードでの複数のノズル列間の相対的記録位置の設定値を決定する。
【００４４】
このようにすると、２つのノズル群を異なったタイミングで駆動する第２の記録モードにおいて、必要に応じて一方のノズル群の記録位置の設定値を変更されるので、第２の記録モードのために特別な記録位置調整を行う必要がなくなる。更に、例えば記録位置の設定値を変更するノズル群を、例えば、記録される記録要素の濃度が低い方とすると、記録画像の画質低下を抑えることを可能にすることもできる。
【００４５】
従って、複数の記録モードそれぞれに対して、ノズル列間の相対的記録位置の調整を行う必要をなくしてユーザの負担を軽減すると共に、記録画像の画質低下を抑制するように２つのノズル間の相対的記録位置を設定することができる。
【００４６】
なお、本発明は上記のインクジェット記録装置としての態様以外に、インクジェット記録装置の記録位置設定方法、該方法をコンピュータ装置に実行させるコンピュータプログラム、該コンピュータプログラムを格納する記憶媒体の態様としても実現できる。
【発明の効果】
【００４７】
本発明によれば、２つのノズル群を異なったタイミングで駆動する第２の記録モードにおいて、必要に応じて一方のノズル群の記録位置の設定値を変更されるので、第２の記録モードのために特別な記録位置調整を行う必要がなくなる。更に、例えば記録位置の設定値を変更するノズル群を、例えば、記録される記録要素の濃度が低い方とすると、記録画像の画質低下を抑えることを可能にすることもできる。
【００４８】
従って、複数の記録モードそれぞれに対して、ノズル列間の相対的記録位置の調整を行う必要をなくしてユーザの負担を軽減すると共に、記録画像の画質低下を抑制するように２つのノズル間の相対的記録位置を設定することができる。
【発明を実施するための最良の形態】
【００４９】
以下、添付図面を参照して、本発明の好適な実施形態について詳細に説明する。なお、以下に説明する実施形態では、インクジェット記録方式を用いた記録装置としてプリンタを例に挙げ説明する。
【００５０】
本明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００５１】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００５２】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００５３】
始めに、以下で説明する本発明の実施形態に共通な、記録装置の全体構成ならびに制御構成について記載する。
【００５４】
（記録装置の構成）
図１は、本発明に係るインクジェット記録装置の要部構成を模式的に示す斜視図である。図１において、記録手段としてのヘッドカートリッジ１はキャリッジ２に着脱可能に搭載されており、このヘッドカートリッジ１はそれぞれが異なる種類（色等）のインクで記録する４個のヘッドカートリッジ１Ａ，１Ｂ，１Ｃ，１Ｄで構成されている。
【００５５】
ヘッドカートリッジ１Ａ，１Ｂ，１Ｃ，１Ｄのそれぞれは、インク吐出口群を含む記録ヘッドと該記録ヘッドへインクを供給するインクタンクとから構成される。図１１は、ヘッドカートリッジ１Ａ，１Ｂ，１Ｃ，１Ｄのそれぞれが図１０Ａに示すのと同様な２列の吐出口列を有している場合の、ヘッドカートリッジの吐出口群の構成を示す図である。
【００５６】
各カートリッジ１Ａ〜１Ｄのそれぞれには、記録ヘッドを駆動する信号を受けるためのコネクタが設けられている。なお、以下の説明では記録手段１Ａ〜１Ｄの全体または任意の１つを指す場合、単に記録手段（記録ヘッドまたはヘッドカートリッジ）１で示すことにする。
【００５７】
ヘッドカートリッジ１は、異なる色のインクを用いたカラー記録が可能なように、それらのインクタンク部には例えば黒、シアン、イエロー、マゼンタなどの異なるインクが収納されている。各記録手段１はキャリッジ２に位置決めして着脱可能に搭載されており、そのキャリッジ２には、コネクタを介して各記録手段１に駆動信号等を伝達するためのコネクタホルダ（電気接続部）が設けられている。
【００５８】
キャリッジ２は、装置本体に設置されたガイドシャフト３に沿って主走査方向に移動可能に案内支持されている。そしてキャリッジ２は、キャリアモータ４により、モータプーリ５、従動プーリ６、及びタイミングベルト７を介して駆動され、その位置及び移動を制御される。用紙やプラスチック薄板等の記録媒体８は、不図示の搬送モータによって駆動される９及び１０、１１及び１２で示される２組の搬送ローラの回転により、記録ヘッド１の吐出口面と対向する位置（記録部）を通して搬送（紙送り）される。なお記録媒体８は、記録部において平坦な記録面を形成できるように、その裏面をプラテン（不図示）により指示されている。この場合、キャリッジ２に搭載された各カートリッジ１は、それらの吐出口面がキャリッジ２から下方へ突出して２組の搬送ローラ対の間で記録媒体８と平坦になるように保持されている。
【００５９】
記録ヘッド１は、熱エネルギーを利用してインクを吐出するインクジェット記録手段であって、熱エネルギーを発生するための電気熱変換体を備えたものである。また記録ヘッド１は電気熱変換体によって印加される熱エネルギーにより生じる膜沸騰による気泡の成長、収縮によって生じる圧力変化を利用して、吐出口よりインクを吐出させ、記録を行うものである。
【００６０】
また、１４は記録ヘッド１の吐出性能を回復させる回復動作を行う回復機構であり、記録ヘッドがホームポジションに戻った際に吐出口面をカバーしてインクの蒸発を防止するキャップ１５と、該キャップ１５とチューブ２７によって接続された吸引ポンプ１６、吐出口面に付着したゴミや固着したインク等を清掃するためのブレード１８と、該ブレード１８を保持するブレード押え１７とが設けられている。
【００６１】
回復動作は、所定の時間間隔で行われ、各記録ヘッド１の吐出面をブレード１８によって清掃すると共に、必要に応じて各記録ヘッドの吐出面が対応するキャップ１５にカバーされる位置まで移動させ、吸引ポンプ１６によって吐出口部の増粘したインクを吸引して排出させる。
【００６２】
図２は、記録ヘッド１のインク吐出部１３の主要な構造を部分的に示す模式的斜視図である。なお、図２は図１０Ａに示した２つの吐出口列ＡもしくはＢの一方のみを示したものである。
【００６３】
図２において記録媒体８と所定の隙間（約０．５〜２［ｍｍ］程度）をおいて対面する吐出口面２１には、所定のピッチで複数の吐出口２２が形成され、共通液室２３を各吐出口２２とを連通する各流路２４の壁面に沿ってインク吐出用のエネルギーを発生するために電気熱変換体（発熱抵抗体など）２５が配設されている。本例においては、記録ヘッド１は吐出口２２がキャリッジ２の走査方向と交差する方向に並ぶような位置関係で、該キャリッジ２に搭載されている。こうして記録信号または吐出信号に基づいて対応する電気熱変換体２５を駆動（通電）して、流路２４内のインクを膜沸騰させ、その時に発生する圧力によって吐出口２２からインクを吐出させるように記録ヘッド１が構成されている。
【００６４】
なお、本実施例ではインクを吐出させるための手段として熱エネルギーを発生する電気熱変換体の構成で説明するが、これに限らず圧電素子を用いた構成であっても良い。
【００６５】
（制御システムの構成）
図３は、本発明に係るインクジェット記録装置の制御システムの構成を示すブロック図である。図３において、３１は接続されたホスト機器からの記録信号が入力されるインターフェイスであり、３２はマイクロプロセッサユニット（ＭＰＵ）であり、３３はこのＭＰＵ４２が実行する制御プログラムを格納するプログラムＲＯＭであり、３４は記録信号や記録ヘッド１に供給される記録データ等の各種データを保存しておくＤＲＡＭである。このＤＲＡＭ３４では、記録ドット数や記録時間なども記憶（カウント）できるようになっている。３５は記録ヘッド１に対する記録データの供給制御を行うゲートアレイであり、インターフェース３１とＭＰＵ３２とＤＲＡＭ３４との間のデータの転送制御も行うように構成されている。
【００６６】
図３において、４は記録ヘッド１を搭載したキャリッジ２を搬送する為のキャリアモータ（主走査モータ）であり、２０は記録用紙等の記録媒体８を搬送する為の搬送モータである。３６は記録ヘッド１を駆動する為のヘッドドライバであり、３７は搬送モータ２０を駆動する為のモータドライバであり、３８はキャリアモータ４を駆動する為のモータドライバであり、３９は各種の検出を行うためのセンサ群である。このセンサ３９は例えば、記録媒体８の有無を検知するセンサ、キャリッジ２がホームポジションにあることを検知するセンサ、記録ヘッド１の温度を検知するセンサなどであり、これらにより、記録媒体８の有無やキャリッジ２の位置や環境温度などを認識することができる。
【００６７】
図１及び図３において、ホスト機器から記録データがインターフェース３１を介して送られてくると、ゲートアレイ３５を通してＤＲＡＭ３４に記録データが一時的に蓄えられる。その後ＤＲＡＭ３４のデータをゲートアレイ３５によってラスターデータから記録ヘッド１で記録するための画像イメージに変換し、再度ＤＲＡＭ３４に記憶する。そのデータを、再度ゲートアレイ３５によってヘッドドライバ３６を介して記録ヘッド１に送り、対応する位置の吐出口からインクを吐出させて記録を行う。その際、ゲートアレイ４５に記録させるドットのカウンタを構成しておき、記録させるドットを高速でカウントできる構成としておく。
【００６８】
モータドライバ３８を介してキャリアモータ４を駆動し、記録ヘッド１の記録速度に合わせてキャリッジ２を主走査方向へ動かすことにより、１回の主走査における記録が行われる。当該主走査の記録が完了すると、搬送モータ用のモータドライバ３７を介して搬送モータ２０を駆動し、記録媒体８を主走査方向と交叉する搬送方向（副走査方向）へ所定ピッチだけ搬送（紙送り）する。そして、次の走査での記録を行うべく、モータドライバ３８を介して再びキャリアモータ４を駆動し、記録ヘッド１の記録速度に合わせてキャリッジ２を主走査方向へ動かし、その主走査（次の主走査）における記録が行われる。以下、これらを繰り返すことにより、記録媒体８の全体にわたる記録が行われる。
【００６９】
＜第１の実施形態＞
以下、上記のような構成のインクジェット記録装置に本発明を適用する、第１の実施形態について説明する。
【００７０】
第１の実施形態は、吐出量の異なる２種類の吐出口群（大ノズル群及び小ノズル群）を有する記録ヘッドを備え、同一の主走査で一方のノズル群のみを用いて記録を行う記録モードと、同一の主走査で２種類のノズル群を異なったタイミングで駆動して記録を行う記録モードとを有している。
【００７１】
すなわち、本実施形態では、少なくとも第１の濃度の記録要素（ドット）を記録するときに使用される第１のノズル群と、第２の濃度の記録要素を記録するときに使用される第２のノズル群とを持っており、１回の走査での記録において第１及び第２のノズル群の一方のみを使用する第１の記録モードと、１回の走査での記録において第１及び第２のノズル群を異なったタイミングで駆動する第２の記録モードとを備え、第１の記録モードでの複数のノズル列間の相対的記録位置を調整するための設定値に基づいて、第２の記録モードでの複数のノズル列間の相対的記録位置の設定値を決定するインクジェット記録装置であるが、本実施形態は次のような特徴をも有しており、本発明としてはこれらの構成を適宜併せ持つ構成であっても良い。
【００７２】
第１の記録モードでの相対的記録位置調整の際の分解能が、第２の記録モードでの相対的記録位置調整の分解能の整数倍である。
【００７３】
第２の記録モードでの記録位置の設定値を決定する際に、２つのノズル群のいずれかの相対的記録位置の設定値を変更する必要がある場合、濃度の低い記録要素を記録するときに使用されるノズル群の設定値を変更しない。
【００７４】
第１のノズル群と第２のノズル群とは、記録する記録要素の大きさが異なる。
【００７５】
記録ヘッドは、第１のノズル群に属するノズルと第２のノズル群に属するノズルとが交互に配置されたノズル列を複数有している。
【００７６】
第１の記録モードでの設定値は、記録されたパターンを参照してユーザが入力する。
【００７７】
本実施形態のヘッドカートリッジ１において１つのインクに対するヘッドカートリッジのノズル群は、図１０Ｆに示すような構成であり、吐出量が多く大きな記録ドットの記録に使用される大ノズル群と、吐出量が少なく小さな記録ドットの記録に使用される小ノズル群とが交互に配置された２つのノズル列を有し、２つのノズル列において大小２種類のノズルの位置（列内の順序）が異なっている。
【００７８】
より詳細には、偶数吐出口（ノズル）列１００１には、吐出口群１００１Ａ（大ノズル）と吐出口群１００１Ｂ（小ノズル）を備えており、駆動回路の都合上、同一主走査中には吐出口群１００１Ａと吐出口群１００１Ｂは同時のタイミングでは駆動することができず、同一主走査内ではそれぞれの駆動タイミングを切り替えて記録を行う。また、吐出口群１００１Ａと吐出口群１００１Ｂから吐出される記録ドットの吐出量は、吐出口群１００１Ａの方が吐出口群Ｂを比べて相対的に吐出量が多く記録ドットも大きい。奇数吐出口（ノズル）列１００２も偶数吐出口列１００１同様、吐出量の異なる、吐出口群１００２Ａ（大ノズル）と吐出口群１００２Ｂ（小ノズル）を備えており、同一主走査中には吐出口群１００２Ａと吐出口群１００２Ｂは同時のタイミングでは駆動することができず、同一主走査内ではそれぞれの駆動タイミングを切り替えて記録を行う。偶数吐出口列１００１と奇数吐出口列１００２とは大ノズルと小ノズルの位置関係が互い違いとなるよう構成されている。
【００７９】
なお、同一走査内で大ノズルからのみ、または小吐出のノズルからのみの吐出によって記録を行う場合には、切り換えずに主走査方向に連続した位置に記録を行うことができる。
【００８０】
本実施形態において記録位置調整に使用するテストパターンは、上記において説明した図８にＧ，Ｈの２つのパターンを追加したものである。各パターンで記録位置調整を行うノズル列及びノズル群の組合せは、
Ａ：黒偶数列大ノズル／奇数列大ノズル
Ｂ：シアン偶数列大ノズル／奇数列大ノズル
Ｃ：マゼンタ偶数列大ノズル／奇数列大ノズル
Ｄ：黒偶数列小ノズル／奇数列小ノズル
Ｅ：シアン偶数列小ノズル／奇数列小ノズル
Ｆ：マゼンタ偶数列小ノズル／奇数列小ノズル
Ｇ：シアン偶数列大ノズル／偶数列小ノズル
Ｈ：マゼンタ偶数列大ノズル／偶数列小ノズル
となっている。
【００８１】
以下、図４ならびに図１６〜図２１を参照して、本実施形態における記録位置調整について説明する。これらの図は、図６と同様に１つの記録ヘッドにおける２つの駆動状態を示している。
【００８２】
図２１は、本実施形態における駆動タイミングと記録ドットの関係を説明するための模式図である。記録ヘッドの構成は、上記のように図１０Ｆに示すような構成であり、各ノズル列のノズル数は大ノズル、小ノズル共に２つずつの計４個である。この記録ヘッドを図中矢印で示す左から右へ移動するものとし、主走査方向記録位置を破線で示した。この記録位置の間隔（ピッチ）は１２００ｄｐｉであり、駆動タイミングを１ずらすとは着弾位置を１２００ｄｐｉずらすことと等価であり、また、記録位置の設定値を１ずらすこととも等価である。設定値の＋（プラス）は右方向へずらすこと意味し、−（マイナス）は左方向へずらすことを意味する。本実施形態においては記録解像度を６００ｄｐｉとするため、着目画素は１２００ｄｐｉの２×２のマトリクスで構成される６００ｄｐｉの大きさとなる。
【００８３】
図２１では、主走査方向記録位置０ならびに主走査方向記録位置１において大ノズル（１００１Ａ，１００２Ａ）を駆動した状態を記録画素２１０〜２１３の上下にそれぞれ示している。
【００８４】
そして図２１では、２つのノズル列の間隔が６００ｄｐｉであり、連続した２つの駆動タイミング（ノズル列１００１が駆動タイミング２及び３で、ノズル列１００２が駆動タイミング０及び１の位置）で大ノズルからのみインクを吐出した場合に記録される画素を示している。この場合、２１０、２１１、２１２、２１３の４つの画素には、図示したように、記録ドットが２発ずつ記録されるが、以下ではこれら記録画素のうち１つに着目して説明を行うこととする。
【００８５】
図４及び図１６で、同一主走査で一つのインク吐出口群（大ノズル）のみを使用して記録する際の駆動タイミングと記録ドットの関係、図１７〜図１９で、同一主走査で大ノズルとは駆動の異なるインク吐出口群（小ノズル）のみを使用して記録する際の駆動タイミングと記録ドットの関係、そして図２０及び図２２〜図２５で、同一主走査において大ノズルと小ノズルとの駆動を切り替えて記録する際の駆動タイミングと記録ドットの関係についてそれぞれ説明する。
【００８６】
まず大ノズルのみを使用して記録する場合の駆動タイミングを記録ドットの関係について説明する。図４及び図１６は、大ノズルを使用して偶数ノズル列であるノズル列１００１と奇数ノズル列であるノズル列１００２とによって記録を行う場合の駆動タイミングと記録ドットの関係を示す模式図である。
【００８７】
図４は、２つのノズル列１００１及び１００２をいずれも主走査方向記録位置０で駆動してそれぞれインクを吐出し、着目画素４００上でのノズル列１００１の大ノズルから吐出されたインク滴によって形成された記録ドット４０１Ｌとノズル列１００２の大ノズル〜吐出されたインク滴によって形成された記録ドット４０２Ｌを示している。この例では、いずれのドットも主走査方向記録２に着弾しており、着弾位置が合っている状態を示している。
【００８８】
また、図１６は、ノズル列１００１の主走査方向記録位置（カラム）が０（カラム０）、ノズル列１００２の主走査方向記録位置が１（カラム１）のタイミングでそれぞれインクを吐出する構成、つまり、２つのノズル列の駆動タイミングを１（１２００ｄｐｉ）ずらすことで着目画素４００上での記録ドット１６１Ｌ及び１６２Ｌの記録位置が主走査方向記録位置２で合っている状態を示している。
【００８９】
図１６のように吐出タイミング（吐出位置）が異なるにも係らずドットの形成位置が同じカラムになっているのは、ノズル列毎で吐出方向や吐出速度（インクの飛翔速度）が異なっているためである。この例では、ノズル列１００２のからのインクの吐出速度が相対的に速い場合やインクの吐出方向が相対的に進行方向に傾いている場合などに対応する。
【００９０】
図４もしくは図１６に示したように、どのような駆動タイミングで吐出を行えば記録位置が合うのかを調べる（検知する）ことが記録位置調整（ドットの形成位置調整）であり、記録位置調整により最適な駆動タイミングが判明した場合には、その駆動タイミングを記録位置調整の設定値として使用し、このタイミングで偶数及び奇数の２つのノズル列の大ノズルをそれぞれ駆動することにより、２つのノズル列間の相対的記録位置が合った状態での記録が行える。
【００９１】
このように大ノズルだけで記録を行う場合での記録位置調整時の分解能（使用できる駆動タイミング）は、すべての主走査方向記録位置（カラム）における駆動が可能であり、駆動の選択に何ら制約はない。すなわち１２００ｄｐｉの分解能となる。
【００９２】
小ノズルのみを使用した記録モードにおける偶数ノズル列と奇数ノズル列間の相対的記録位置の調整についても同様であり、それらの状態を図１７〜図１９に示す。
【００９３】
図１７は、主走査方向記録位置１において偶数ノズル列１００１の小ノズル、奇数ノズル列１００２の小ノズルを駆動すれば、着目画素４００において記録ドット１７１Ｓ及び１７２Ｓの相対的記録位置が合うように記録が行える状態（以下、主走査方向記録位置Ｘにおいて駆動を行うことを駆動タイミングＸにおいて駆動するとも表記する）を示している。図１８は、駆動タイミング０において偶数ノズル列１００１の小ノズル、奇数ノズル列１００２の小ノズルを駆動すれば、着目画素４００において記録ドット１８１Ｓ及び１８２Ｓの相対的記録位置が合うように記録が行える状態を示している。
【００９４】
また図１９は、駆動タイミング０において偶数ノズル列１００１の小ノズルを、駆動タイミング１において奇数ノズル列１００２の小ノズルを駆動すれば、着目画素４００において記録ドット１９１Ｓ及び１９２Ｓの相対的記録位置が合うように記録が行える状態を示している。このように小ノズルのみを用いて記録を行う場合でも小ノズルを駆動するのに駆動タイミング０，１，２，...を全て使用できるため、１２００ｄｐｉの分解能で記録位置の調整を行うことができる。
【００９５】
一方、同一の主走査において大小ノズルを異なったタイミングで駆動する記録モードにおいては、以下のような状態が生じる。
【００９６】
例えば、大ノズルのみの記録モードで記録位置を調整した場合に、２つのノズル列の大ノズルから吐出されたインクによって形成された記録ドットの状態が図４に示す状態（４０１Ｌ及び４０２Ｌ）であり（以下大ノズルが図４の状態にあると記載する）、小ノズルのみの記録モードで記録位置を調整した場合に、２つの列の小ノズルから吐出されたインクによって形成された記録ドットの状態が図１７に示す状態（１７１Ｓ及び１７２Ｓ）である場合には、大ノズルを偶数の主走査方向記録位置で駆動し、小ノズルを奇数の主走査方向記録位置で駆動すれば、着目画素への記録ドットの着弾は図２２に示すようになる。
【００９７】
図２２は、着目画素４００を抜き出して示す図であり、図４の状態で大ノズルを駆動したと想定した場合の記録ドットを４０１Ｌ及び４０２Ｌで、また図１７の状態で小ノズルを駆動したと想定した場合の記録ドットを１７１Ｓ及び１７２Ｓでそれぞれ示している。
【００９８】
この場合、一方のノズル群に対しては偶数の主走査方向記録位置、他方のノズル群に対しては奇数の主走査方向記録位置でしか記録できないが（上記の例では、大ノズルは偶数の主走査方向記録位置、小ノズルは奇数の主走査方向記録位置）、形成されるそれぞれのドットの位置は同じカラムとなるので、大ノズルのみで記録を行った場合の記録位置の調整値と小ノズルのみで記録を行った場合の記録位置の調整値のそのもので、１走査中に大小ノズルのタイミングを切り分けて記録を行う場合であっても、記録位置は適切な位置にできる。
なお、両ノズル群を１走査中で切換えて記録を行うモードでの分解能（使用できる駆動タイミング）はいずれかのノズル群（大ノズル又は小ノズル）のみを使用する記録モードの分解能の半分である６００ｄｐｉとなる。
【００９９】
一方、大ノズルのみの記録モードで記録位置調整を行った場合がが図４の状態であり、小ノズルのみの記録モードで記録位置調整を行った場合が図１８の状態である場合には、本実施形態の構成の記録ヘッドでは、これらの記録位置の調整値を使って大小２つのノズル群を同じ主走査方向記録位置での駆動はできない。すなわち、大ノズルを図４の状態にすると大ノズルを偶数の主走査記録位置で駆動することになるため、小ノズルは偶数の主走査記録位置において駆動できなくなる。そこで本実施形態ではこのような場合においては、吐出タイミングを異ならせることを優先して相対的に小ノズルを図２５に示すように、奇数の主走査記録位置で駆動するようにし、記録ドットの着弾を図２３に示すようにする。（この例では小ノズルのタイミングをずらした場合で説明しているが、大ノズルの駆動タイミングをずらしても良い。）
図２５は、図１８の状態から小ノズルの駆動タイミングを１遅らせた（記録ヘッドは、矢印で示すように右に向かって走査している）状態を示す図であり、図１８の記録ヘッドの状態も点線で示してある。また図２３は、図４の駆動タイミングで大ノズルを駆動した場合に着目画素４００に形成される記録ドット（４０１Ｌ，４０２Ｌ）と、図２５の駆動タイミングで小ノズルを駆動した場合に着目画素４００に形成される記録ドット（２５１Ｓ，２５２Ｓ）とを合わせて示した図である。
【０１００】
また、大ノズルから吐出されたインクでドットが形成される状態が図４の状態で小ノズルから吐出されたインクでドットが形成される状態が図１９の状態である場合にも、このままでは同一の主走査において大ノズルと小ノズルとを駆動できないため、大ノズルもしくは小ノズルの駆動タイミングをずらして記録位置設定値を変更する必要が生じる。本実施形態ではこのような場合には、駆動タイミングをずらす記録ドットが最も少なくてすむように、ノズル列の駆動タイミングをずらす。すなわち、この場合にはノズル列１００１の小ノズルの駆動タイミングのみを１ずらして図２０に示すようにする。
【０１０１】
図２０では、図１９から偶数ノズル列１００１の小ノズルの駆動位置を主走査方向（＋）に１ずらした状態を示しており、図１９での偶数ノズル列の小ノズルの駆動タイミングも点線で示してある。このように一方のノズル列の小ノズルの駆動タイミングをずらすことで、偶数ノズル列１００１と奇数ノズル列１００２の小ノズルを奇数の主走査方向記録位置において駆動する状態にでき、図４で示したような大ノズルの主走査方向記録位置と重なることなく同一主査走査における大小ノズルの駆動を行うことが可能となる。
【０１０２】
これにより記録ドットの着弾位置は図２４に示すようになる。図２４は、着目画素４００への、図４における駆動タイミングでの大ノズルを駆動した際の記録ドット（４０１Ｌ，４０２Ｌ）と図２０における駆動タイミングで小ノズルを駆動した際の記録ドット（２０１Ｓ、２０２Ｓ）とを示した図である。このように、本実施形態では、記録位置調整により調整された設定値をより多く記録に反映させるようにすると共に、駆動をずらす記録ドットを最小に抑えるようにする。
【０１０３】
大ノズルと小ノズルとの駆動タイミングが同時となる場合の駆動タイミングの変更は、大ノズル（列）に対する記録位置調整の設定値と小ノズル（列）に対する記録位置調整の設定値とが決定された後に、プリンタ内部のＭＰＵ３２により両者の設定値を参照して所定の規則に従って行われ、例えば、大ノズルの設定値と小ノズルの設定値とからテーブルを参照して行われる。この場合に駆動タイミングを変更するノズル列としては、偶数ノズル列１００１と奇数ノズル列１００２とのいずれでもよいが、駆動タイミングの変更は常に着目画素の大きさである６００ｄｐｉ内に着弾させるように（本実施形態では、主走査方向記録位置を遅らせる方向にずらす）行う。
【０１０４】
図３７に記録位置調整値設定のフローを示す。
【０１０５】
まず、ステップＳ３７０１において大ノズル列の偶数ノズル列と奇数ノズル列同士の記録位置の相対的位置関係（大ノズル列間記録位置関係）を調べ、次にステップＳ３７０２において小ノズル列の偶数ノズル列と奇数ノズル列同士の記録位置関係（小ノズル列間記録位置関係）を調べる。続いてステップＳ３７０３にて、偶数大ノズル列と偶数小ノズル列間の記録位置関係を調べ、これらの位置関係から大偶数ノズル列・大奇数ノズル列・小偶数ノズル列・小奇数ノズル列それぞれの記録位置調整値を決定する。
【０１０６】
図３８に上記図３７を用いて説明した記録位置調整値を実際の記録時に用いるフローの一例を示す。本フローにおいては説明の簡略化のため、大の偶数ノズル列の記録位置調整値を大１、大の奇数ノズル列の記録位置調整値を大２、小の偶数ノズル列の記録位置調整値を小１、小の奇数ノズル列の記録位置調整値を小２と記載することにする。
【０１０７】
ステップＳ３８０１において行う記録モードが、同一主走査において大小ノズルを共に用いて記録を行うか否かの判定を行う。同一主走査で大ノズルと小ノズルと混在使用しないのであれば図３７において算出した記録位置調整値をそのまま使用して記録可能であるのでステップＳ３８０５へと進み記録位置調整値をそのまま使用して記録を行う。
【０１０８】
同一主走査で大小ノズルを混在使用するならば、ステップＳ３８０２へと進み、まず図３７で行った位置調整値を利用して駆動を行った場合に大１と大２とが同一の駆動タイミングとなるかを判定する。ここで同一の駆動タイミングとは図４や図１７で言うところの、駆動を行う主走査方向の記録位置が偶数であるか奇数であるかが同一かどうかを示すことにする。すなわち大１と大２が同一の駆動タイミングであるとは、大１と大２がともに偶数もしくはともに奇数である状態を示す。
【０１０９】
ステップＳ３８０２において共に偶数と判断された場合にはステップＳ３８０３に進むこととし、大１と小１とが同一の駆動タイミングであるかどうかを判定し、大１と小１とが同一の駆動タイミングであるならばステップＳ３８０７へ、同一でないならばステップＳ３８０４へと進む。ステップＳ３８０４、ステップＳ３８０７ともに小１と小２とが同一のタイミングかどうかの判定を行う。ステップＳ３８０４で同一であると判断されると記録位置調整値は大１と大２、小１と小２それぞれが同一のタイミングでかつ大１と小１は同一のタイミングではないので先に得られた記録位置調整値をそのまま使用して記録を行うことが可能とわかる。その他ステップＳ３８０４で小１と小２とが同一のタイミングでない場合には小２を、ステップＳ３８０７において小１と小２が同一のタイミングである場合には大１と大２を、小１と小２が同一でない場合には小１をそれぞれずらすことにする。
【０１１０】
また、ステップＳ３８０２において大１と大２とが同一のタイミングでないと判断された場合にも進む先のステップＳ３８１０において大１と小１とが同一のタイミングかを判定し、同一のタイミングの場合にはステップＳ３８１１、同一でない場合にはステップＳ３８１４へと進みともに小１と小２とが同一か否かの判定を行う。以上の判定の結果ステップＳ３８１１で同一と判断された場合には大１を、ステップＳ３８１１もしくはステップＳ３８１４で同一でないと判断された場合には大１と小２を、ステップＳ３８１４で同一と判断された場合には大２をそれぞれずらすことにする。
【０１１１】
なお、本実施形態においては左から右へ走査する往路記録における記録位置調整について説明したが、右から左へ走査する復路記録における記録位置の調整についても同様の考え方により大小ノズルを交互に駆動して記録する際の記録位置を変更することできるのはもちろんであり、この場合においても常に６００ｄｐｉの着目画素の中に着弾させるように変更を行うようにする。
【０１１２】
以上のように大小ノズルを交互駆動する構成において、必要に応じて駆動タイミングを変更することで、大小交互駆動のために特別な記録位置調整を行う必要がなくなり、最適な記録位置からのずれを最小の１２００ｄｐｉとすることができ、かつ、画素の大きさである６００ｄｐｉの範囲内に入るように設定値を決定するため、記録画像の画質低下を抑えることが可能となる。
【０１１３】
＜第２の実施形態＞
以下、本発明の第２の実施形態について説明する。第２の実施形態も第１の実施形態と同様なインクジェット記録装置における記録位置調整に関するものであり、以下の説明では上記第１の実施形態と同様な部分については説明を省略し、本実施形態の特徴的な部分を中心に説明する。
【０１１４】
第１の実施形態においては、１方向の走査（１走査）における２つのノズル列間の記録位置調整について説明したが、本実施形態においては、双方向記録を行う際の記録位置調整について説明する。なお本実施形態においても第１の実施形態と同様に、着目画素の大きさは６００ｄｐｉであり、駆動タイミングの設定は１２００ｄｐｉのピッチで可能であるとする。
【０１１５】
すなわち、第２の実施形態は、記録ヘッドを往復両方向に走査させて記録を行うときに、第１の記録モードで同じノズル列の往方向及び復方向の相対的記録位置の調整を行うためのパターンから判別された相対的記録位置の設定に基づいて、第２の記録モードでの同じノズル列の往方向及び復方向の相対的記録位置の設定値を決定すること特徴とする。
【０１１６】
図３６は、本実施形態において使用する記録位置調整を行うためのテストパターンの一例であり、本パターンで調整を行うノズル列及びノズル群の組合せは、
Ａ：黒偶数列大ノズル／奇数列大ノズル
Ｂ：シアン偶数列大ノズル／奇数列大ノズル
Ｃ：マゼンタ偶数列大ノズル／奇数列大ノズル
Ｄ：シアン偶数列小ノズル／奇数列小ノズル
Ｅ：マゼンタ偶数列小ノズル／奇数列小ノズル
Ｆ：黒大ノズル双方向
Ｇ：カラー大ノズル双方向
Ｈ：黒ノズル列／カラーノズル列
Ｉ：カラー小ノズル双方向
Ｊ：シアン大ノズル／小ノズル
Ｋ：マゼンタ大ノズル／小ノズル
となっている。
【０１１７】
図３６のＡ〜Ｋパターンの詳細については、図８、９および図１２〜１５を参照して説明したものと同様であり、記録位置調整を行う２つのノズル列の一方を基準として（駆動タイミングを変更せず）、他方のノズル列の駆動タイミングを１２００ｄｐｉずつ変更して記録を行う事により記録位置調整を行う２つのノズル列間の相対的記録位置を異ならせることができ、複数種類記録したパターンのうち最も滑らかなパターンを選択することで記録位置調整を行うことも、図８のパターンに関して説明したのと同様である。
【０１１８】
双方向記録における記録位置調整では、第１の実施形態のような１方向（１走査）での記録における記録位置調整とは異なり、大小２種類のノズルを交互に駆動して記録を行う場合においても、異なる列の小ノズル同士もしくは異なる列の大ノズル同士のうち、基準とする一方のノズル列に関しては、記録位置調整を１２００ｄｐｉのピッチで行うことができる。
【０１１９】
上述のように、大小２種類のノズルを使用して記録を行う場合には、濃度が低いハイライト部分に対しては小ノズルのみを使用して粒状感を減らし、小ノズルによる小さい記録ドット（以下小ドットとも称する）によりエリアファクタ（記録媒体上の所定の領域内における記録領域の比率：面積階調法では濃度に比例する）がある程度高くなると、大ノズルによる大きい記録ドット（以下大ドットとも称する）の使用を開始する。
【０１２０】
このため、小ドットが主に使われるハイライト部分では、エリアファクタが低いため、記録位置のずれが目立ちやすく、ざらつきとして認識される。これとは逆に大ドットが使用される領域では、ある程度エリアファクタが高いため、多少記録位置がずれても小ドットの記録位置ずれによるざらつきよりも目立たない。このため、本実施形態による双方向記録における記録位置調整においては、小ノズルの駆動タイミングをずらすことは極力避けるよう、小ノズルを基準として、主に大ノズルの駆動タイミングをずらすようにする。
【０１２１】
以上を、図２６〜図２９を参照して説明する。なお、ここでは、大ノズル、小ノズルそれぞれのノズル群で基準とするノズル列は１００１で示されるノズル列とする。
【０１２２】
同一主走査で駆動のタイミングを異ならせる必要のある大ノズルと小ノズルとを使用する交互駆動において、大ノズルのみを使用してドットを形成する状態が図２６に示す状態であり、小ノズルのみを使用してドットを形成する状態が図２７に示す状態である場合について説明を行う。
【０１２３】
図２６、２７及び２８は、横軸に主走査方向記録位置を示しておりその間隔が１２００ｄｐｉであることは、上記第１の実施形態と同様である。また、１つの着目画素５００に対して記録を行っている状態の記録ヘッドを示していることも上記第１の実施形態で説明した図４等と同様であり、駆動を行っているノズルをハッチングで示してあることや、着目画素上に記録された記録ドットをノズルと同じ大きさの丸にハッチングで示していること、ならびに記録ヘッドの走査方向を矢印で示していることも図４等と同様である。
【０１２４】
図２６は、着目画素５００の上側に、矢印で示すように左から右への主走査方向に記録ヘッドが走査している状態（往路走査）で、主走査方向記録位置０において偶数ノズル列の大ノズル１００１Ａ＿Ｆを駆動することで、着目画素５００に記録ドット２６１Ｌが記録される状態を示している。また同図において、着目画素５００の下側に、矢印で示すように右から左への主走査方向に記録ヘッドが走査している状態（復路走査）で、主走査方向記録位置４において偶数ノズル列の大ノズル１００１Ａ＿Ｂを駆動することで、着目画素５００に記録ドット２６２Ｌが記録される状態を示している。
【０１２５】
図２７は、着目画素５００の上側に、矢印で示すように左から右への主走査方向に記録ヘッドが走査している状態（往路走査）で、主走査方向記録位置０において偶数ノズル列の小ノズル１００１Ｂ＿Ｆを駆動することで、着目画素５００に記録ドット２７１Ｓが記録される状態を示している。また同図において、着目画素５００の下側に、矢印で示すように右から左への主走査方向に記録ヘッドが走査している状態で、主走査方向記録位置３において偶数ノズル列の小ノズル１００１Ｂ＿Ｂを駆動することで、着目画素５００に記録ドット２７２Ｓが記録される状態を示している。
【０１２６】
記録タイミングと記録ドット位置の関係が、上記図２６及び２７に示すような状態である場合に、大ノズルと小ノズルとを同一主走査において順次切り替えて駆動して記録を行おうとしても、往路走査において偶数列の大ノズルと偶数列の小ノズルとを、同じ主走査方向記録位置０で駆動する必要があり、このような駆動は本実施形態の記録ヘッドでは実行できない。
【０１２７】
そこで本実施形態においては、小ノズルを基準として小ノズルの駆動タイミングをずらすことは極力避けて、主に大ノズルの駆動タイミングをずらすようにする。すなわち、図２６の状態であった大ノズルの駆動タイミングを、図２８に示すように駆動タイミングを変更する。
【０１２８】
図２８は、図２６に示した偶数ノズル列１００１の大ノズルの着目画素への記録のうち往路走査での駆動タイミングを、主走査方向記録位置０から１へと変更した状態を示す図である。この図には図２６での往路走査時の記録ヘッドの位置も点線で示している。また、駆動タイミングの変更に伴い記録される記録ドット２８１Ｌも、図２６の記録ドット２６１Ｌから主走査方向右側へ１２００ｄｐｉずれて記録される。
【０１２９】
大ノズル及び小ノズルを図２７及び図２８に示す状態で駆動する場合に、着目画素に記録される記録ドットの状態を図２９に抜き出して示した。図２９には、着目画素５００に対する、偶数ノズル列の大ノズルを用いた往路走査による記録ドット２８１Ｌ、偶数ノズル列の大ノズルを用いた復路走査による記録ドット２８２Ｌ、偶数ノズル列の小ノズルを用いた往路走査による記録ドット２７１Ｓ、偶数ノズル列の小ノズルを用いた復路走査による記録ドット２７２Ｓをそれぞれ示した。
【０１３０】
以上では、偶数ノズル列における、大ノズルと小ノズルとの間の双方向記録における記録位置の調整について説明したが、本実施形態で使用する記録ヘッドに対しては、図３０Ａ及び３０Ｂに関連して説明したように、偶数ノズル列及び奇数ノズル列間の記録位置の調整のためのパターンも記録され、該パターンを用いた記録位置の調整も行われるので、例えば、小ノズルの往路走査での偶数ノズル列と奇数ノズル列間の着目画素への記録と駆動タイミングの関係が第１の実施形態で参照した図１９のような状態にある場合には、奇数ノズル列の小ノズルの駆動タイミングを１から２へと変更する必要がある（不図示）。
【０１３１】
このように必要に応じて、小ノズルの駆動タイミングを変更する必要が生じるが、通常は偶数ノズル列の小ノズルを基準とし、必ず偶数ノズル列の小ノズルの双方向記録位置調整に関しては記録位置調整の設定値を反映させて、双方向記録を行う際に最も記録位置が合う状態で記録を行うことができる。
【０１３２】
また、上記の例では大ノズルを、往路走査時には主走査方向記録位置が奇数となるタイミング、復路走査時には主走査方向記録位置が偶数となるタイミングで駆動しているが、同一主走査内においては、大ノズルもしくは小ノズルは各々偶数もしくは奇数の同一タイミングでしか駆動できないが、異なる走査間、すなわち、往路走査と復路走査では駆動タイミングを偶数もしくは奇数に揃える必要はないため、大小いずれかのノズルの双方向の記録位置調整においては、１２００ｄｐｉのピッチでの記録位置調整が可能である。
【０１３３】
上述したように、大小ノズルを交互に駆動して記録する場合において、小ノズルの駆動タイミングをずらさずに（記録位置調整の設定値を変更せずに）、主に大ノズルの駆動タイミングのみをずらすため、大小ノズルを用いた交互駆動のために特別な記録位置調整を行う必要もなく、最適な記録位置からのずれを最小とすることができると共に、記録画像の画質低下を抑えることが可能となる。
【０１３４】
更に、大小ノズルを交互駆動する場合における２つのノズル列間の記録位置調整についても、これを踏まえた上で画素の大きさである６００ｄｐｉの範囲内に入るように、記録位置調整を設定することで、記録画像の画質低下を抑えることが可能となる。
【０１３５】
＜変形例＞
なお、以上の実施形態においては、記録ヘッドとして、大ノズルと小ノズルとが同じノズル列に交互に配置された構成の記録ヘッドについて説明したが、本発明はこれ以外の構成の記録ヘッドにも適用できる。例えば、大ノズルと小ノズルがそれぞれ別の列に配列されており、同じ記録走査において大ノズル列と小ノズル列とが同時に駆動できないように構成された記録ヘッドを用いる場合にも適用でき、同様の効果を得ることができる。
【０１３６】
このような場合につき概要を説明する。大ノズルと小ノズルとが、それぞれ別のノズル列として構成されている記録ヘッドの一例を図３１に示す。
【０１３７】
図３１に記載の記録ヘッドは、黒、シアン、マゼンタ、イエローの４色のインクを用いる記録ヘッドであり、それぞれのインクに対して大ノズル列３２Ａと小ノズル列３２Ｂとを有しており、大ノズル列と小ノズル列とを同一主走査内において順次切り替えて駆動することにより使用可能である。
【０１３８】
図３１に記載の記録ヘッドにおいては、第１の実施形態に示したような偶数ノズル列／奇数ノズル列間の記録位置調整を必要としないため、双方向記録においての記録位置調整のみが問題となる。
【０１３９】
図３１に示したような記録ヘッドにおいても、上記第２の実施形態と同様の処理により同様の効果が得られることを、黒のインクに対応するノズル列について、図３２から図３５を参照して簡単に説明する。
【０１４０】
図３２〜図３４は、図２６〜２８と同様に駆動タイミングと記録ドットとの関係を記録ヘッドのみを変更して記載した。すなわち図３２は、大ノズル列のみでの双方向記録を行った場合の駆動タイミングと記録ドットの関係、図３３は、小ノズル列のみでの双方向記録を行ったときの駆動タイミングと記録ドットの関係の１例を示している。
【０１４１】
この場合、図２６及び２７の場合と同様に、同一主走査において、大ノズル列と小ノズル列とを順次切り替えて駆動することで記録を行うように構成された記録ヘッドにおいては、往方向走査で図３２及び３３の状態を同時に満たして記録を行うことができない。このため、図３４に示すように大ノズル列による往路走査での記録位置を主走査方向に１ずらすことで、同一主走査における順次切り替え記録が可能となり、その際の着目画素３３０での記録ドットの状態を図３５に示した。
【０１４２】
このように、上記第２の実施形態で示したような構成の記録ヘッドでなくとも第２の実施形態と同様の処理をすることで同様の効果を得られることが分かる。
【０１４３】
また、上述の実施形態においては、異なった大きさの記録ドットを形成する大小２種類のノズル間の記録位置調整について説明したが、本発明は濃度の異なるインクを用いる記録ヘッド間の記録位置調整にも適用できる。この場合、小ノズルを淡インクを吐出するノズル、大ノズルを濃インクを吐出するノズルに置き換えて、上記と同様の処理をすることにより同様の効果を得ることができる。
【０１４４】
また、シアン、マゼンタ、イエローのような記録インク間でも、より記録位置のずれが目立ちやすいインクを基準にすることが望ましく、さらにいえば、記録する画像に応じて、例えば人の顔のような画像では肌色を形成するのに主として用いられるマゼンタを基準に、空を含む画像などでは主に使用されるシアンを基準にするといったように、記録する画像に応じて基準とするインクを設定することも、画質をより一層の向上させるためには望ましい。
【０１４５】
＜他の実施形態＞
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【０１４６】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。
【０１４７】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【０１４８】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【０１４９】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【０１５０】
なお、本発明は、複数の機器（例えばホストコンピュータ，インターフェース機器，リーダ，プリンタなど）から構成されるシステムに適用しても、一つの機器からなる装置（例えば、複写機，ファクシミリ装置など）に適用してもよい。
【図面の簡単な説明】
【０１５１】
【図１】インクジェット記録装置の要部構成を模式的に示す斜視図である。
【図２】記録ヘッドのインク吐出部の主要な構造を部分的に示す模式的斜視図である。
【図３】図１のインクジェット記録装置の制御システムの構成を示すブロック図である。
【図４】第１の実施形態における２つのノズル列間における大ノズルの駆動タイミングと記録ドットの位置の関係を説明する模式図である。
【図５】記録ヘッドのノズル構成の一例を説明するための模式図である。
【図６】大ノズル及び小ノズルから吐出されるインクを着目画素の同じカラム位置へ着弾させる設定の例を示す図である。
【図７】大ノズル及び小ノズルから吐出されるインクを着目画素の同じカラム位置へ着弾させる設定の例を示す図である。
【図８】複数のノズル列間での記録位置調整を行うためのパターンの一例を示す図である。
【図９】図８に示したパターンＡのうち、設定値＋３で記録される記録ドットの状態を示す図である。
【図１０Ａ】、
【図１０Ｂ】、
【図１０Ｃ】、
【図１０Ｄ】、
【図１０Ｅ】、
【図１０Ｆ】記録ヘッドの吐出口群の様々な構成例を示す図である。
【図１１】ヘッドカートリッジの吐出口群の構成を示す図である。
【図１２】図８に示したパターンＡのうち、設定値＋２で記録される記録ドットの状態を示す図である。
【図１３】図８に示したパターンＡのうち、設定値＋１で記録される記録ドットの状態を示す図である。
【図１４】図８に示したパターンＡのうち、設定値０で記録される記録ドットの状態を示す図である。
【図１５】図８に示したパターンＡのうち、設定値−１で記録される記録ドットの状態を示す図である。
【図１６】第１の実施形態における２つのノズル列間における大ノズルの駆動タイミングと記録ドットの位置の関係を説明する模式図である。
【図１７】第１の実施形態における２つのノズル列間における小ノズルの駆動タイミングと記録ドットの位置の関係を説明する模式図である。
【図１８】第１の実施形態における２つのノズル列間における小ノズルの駆動タイミングと記録ドットの位置の関係を説明する模式図である。
【図１９】第１の実施形態における２つのノズル列間における小ノズルの駆動タイミングと記録ドットの位置の関係を説明する模式図である。
【図２０】第１の実施形態における一方のノズル列の小ノズルの駆動タイミングのみを１ずらした際の記録ドットの着弾位置を説明する模式図である。
【図２１】第１の実施形態における各ノズルでの駆動タイミングと記録ドットの位置の関係を説明する模式図である。
【図２２】第１の実施形態における記録ドットの着弾位置を説明する模式図である。
【図２３】第１の実施形態における記録ドットの着弾位置を説明する模式図である。
【図２４】第１の実施形態における記録ドットの着弾位置を説明する模式図である。
【図２５】第１の実施形態において小ノズルの駆動タイミングをずらした場合の記録ドットの着弾位置を説明する模式図である。
【図２６】第２の実施形態における大ノズルの駆動タイミングと記録ドットの位置の関係を説明する図である。
【図２７】第２の実施形態における小ノズルの駆動タイミングと記録ドットの位置の関係を説明する図である。
【図２８】第２の実施形態における大ノズルの駆動タイミングを、往方向と復方向でずらした場合の記録ドットの位置を示す図である。
【図２９】図２８の着目画素内の記録ドットの着弾位置を説明する模式図である。
【図３０】大小ノズルを含む記録ヘッドでの吐出動作並びに記録ドットの位置を説明する図である。
【図３１】大ノズルと小ノズルとが、それぞれ別のノズル列として構成されている記録ヘッドの構成例を示す図である。
【図３２】第２の実施形態の変形例における大ノズルの駆動タイミングと記録ドットの位置の関係を説明する図である。
【図３３】第２の実施形態の変形例における小ノズルの駆動タイミングと記録ドットの位置の関係を説明する図である。
【図３４】第２の実施形態の変形例において大ノズルの駆動タイミングをずらした場合の駆動タイミングと記録ドットの位置の関係を説明する図である。
【図３５】第２の実施形態における記録ドットの着弾位置を説明する模式図である。
【図３６】第２の実施形態で複数のノズル列間での記録位置調整を行うためのパターンの一例を示す図である。
【図３７】記録位置調整値設定のフローチャートである。
【図３８】図３７の記録位置調整値を実際の記録時に用いるフローチャートの一例を示す。
【図１】
2004276606.tif 000003
【図２】
2004276606.tif 000004
【図３】
2004276606.tif 000005
【図４】
2004276606.tif 000006
【図５】
2004276606.tif 000007
【図６】
2004276606.tif 000008
【図７】
2004276606.tif 000009
【図８】
2004276606.tif 000010
【図９】
2004276606.tif 000011
【図１０Ａ】
2004276606.tif 000012
【図１０Ｂ】
2004276606.tif 000013
【図１０Ｃ】
2004276606.tif 000014
【図１０Ｄ】
2004276606.tif 000015
【図１０Ｅ】
2004276606.tif 000016
【図１０Ｆ】
2004276606.tif 000017
【図１１】
2004276606.tif 000018
【図１２】
2004276606.tif 000019
【図１３】
2004276606.tif 000020
【図１４】
2004276606.tif 000021
【図１５】
2004276606.tif 000022
【図１６】
2004276606.tif 000023
【図１７】
2004276606.tif 000024
【図１８】
2004276606.tif 000025
【図１９】
2004276606.tif 000026
【図２０】
2004276606.tif 000027
【図２１】
2004276606.tif 000028
【図２２】
2004276606.tif 000029
【図２３】
2004276606.tif 000030
【図２４】
2004276606.tif 000031
【図２５】
2004276606.tif 000032
【図２６】
2004276606.tif 000033
【図２７】
2004276606.tif 000034
【図２８】
2004276606.tif 000035
【図２９】
2004276606.tif 000036
【図３０】
2004276606.tif 000037
【図３１】
2004276606.tif 000038
【図３２】
2004276606.tif 000039
【図３３】
2004276606.tif 000040
【図３４】
2004276606.tif 000041
【図３５】
2004276606.tif 000042
【図３６】
2004276606.tif 000043
【図３７】
2004276606.tif 000044
【図３８】
2004276606.tif 000045